(57)【要約】【課題】  従来、活性化水の製造法として、セラミック粒子の物理的作用によるもの、イオン交換樹脂による軟水生成器、トルマリン混合体を内蔵するイオン生成器、マイナスイオンを有する岩石収納器等の複合によるもの、トルマリンを利用した界面浄化装置等がある、これらは洗浄、殺菌、抗菌作用を主とし、装置は複雑で大型であった。またトルマリンは天然鉱石で、材質の均一性、産出量、工業化への課題があった。【解決手段】ｎ形半導体膜とｐ形半導体膜との積層複合体又は強誘電体の表面にｎ形半導体膜及びｐ形半導体膜を積層コーティングしてなる複合体と該複合体に原料水を接触させるための水接触装置とからなる機能水の製造装置及び製造方法により、生体に有効な機能水を工業化が容易な装置により提供する。【選択図】  図１
2006224101.tif 000002
【特許請求の範囲】
【請求項１】
ｎ形半導体膜とｐ形半導体膜とを積層した複合体と、該複合体に原料水を接触させるための水接触装置とからなることを特徴とする機能水の製造装置。
【請求項２】
強誘電体の表面にｎ形半導体膜及びｐ形半導体膜を順次積層コーティングしてなる複合体と、該複合体に原料水を接触させるための水接触装置とからなることを特徴とする機能水の製造装置。
【請求項３】
複合体が、粒状物であることを特徴とする請求項１又は２に記載の機能水製造装置。
【請求項４】
複合体が、透水性多孔質成型物であることを特徴とする請求項１〜３のいずれか１項に記載の機能水製造装置。
【請求項５】
ｎ形半導体膜とｐ形半導体膜とを積層した複合体に、原料水を接触せしめることを特徴とする機能水製造法。
【請求項６】
強誘電体の表面にｎ形半導体膜及びｐ形半導体膜を順次積層コーティングしてなる複合体に、原料水を接触せしめることを特徴とする機能水製造法。
【請求項７】
原料水の流路に、ｎ形半導体膜とｐ形半導体膜とを積層した複合体を充填した充填層を介在させ、原料水を前記充填層に流通・接触せしめることを特徴とする機能水の製造法。
【請求項８】
原料水の流路に、強誘電体の表面にｎ形半導体膜及びｐ形半導体膜を順次積層コーティングしてなる複合体の粒状物を多数充填した充填層を介在させ、原料水を前記充填層に流通・接触せしめることを特徴とする機能水の製造法。
【請求項９】
ｎ形半導体膜とｐ形半導体膜とを積層した複合体の透水性多孔質成型物に、原料水を接触せしめることを特徴とする機能水の製造法。
【請求項１０】
強誘電体の表面にｎ形半導体膜及びｐ形半導体膜を順次積層コーティングしてなる複合体の透水性多孔質成型物に、原料水を接触せしめることを特徴とする機能水の製造法。
【請求項１１】
原料水の流路に、ｎ形半導体膜及びｐ形半導体膜を順次積層コーティングしてなる複合体の透水性多孔質物層を介在させ、原料水を前記透水性多孔質物層に流通・接触せしめることを特徴とする機能水製造法。
【請求項１２】
原料水の流路に、ｎ形半導体膜とｐ形半導体膜とを積層した複合体の透水性多孔質物層を介在させ、原料水を前記透水性多孔質物層に流通・接触せしめることを特徴とする機能水製造法。
【発明の詳細な説明】
【技術分野】
【０００１】
本発明は、機能水の製造装置及び製造法に係り特に強誘電体の表面にｎ形半導体膜及びｐ形半導体膜を積層コーティングしてなる複合体に水を接触させる機能水の製造装置及び、前記複合体に原料水を流通・接触せしめる機能水の製造法に関する。
【背景技術】
【０００２】
従来、活性化水の製造法として例えば、セラミック粒子の物理的作用によるもの（特開平５−１５８７２号公報）、イオン交換樹脂による軟水生成器とトルマリン混合体を内蔵するイオン生成器及びマイナスイオンを有する岩石収納器等の複合によるもの（特開平７−１３２２８４号公報）、トルマリンを利用した界面浄化装置（特開平７−５１６６４号公報）等が開示されている。
【特許文献１】特開平５−１５８７２号
【特許文献２】特開平７−１３２２８４号
【特許文献３】特開平７−５１６６４号
【発明の開示】
【発明が解決しようとする課題】
【０００３】
しかし、これらは洗浄、殺菌、抗菌作用を主とするもので、その装置は複雑で大型であった。また、前記トルマリンは天然の鉱石であり、材質の均一性、産出量の問題等、再現性、工業化への課題がある。
【課題を解決するための手段】
【０００４】
本発明者は、上記課題を解決すべく鋭意研究の結果、以下に記載する人体に有効な機能水の製造装置及び製造方法の発明を完成した。
（１）ｎ形半導体膜とｐ形半導体膜とを積層した複合体と、該複合体に原料水を接触させるための水接触装置とからなることを特徴とする機能水の製造装置。
（２）強誘電体の表面にｎ形半導体膜及びｐ形半導体膜を順次積層コーティングしてなる複合体と、該複合体に原料水を接触させるための水接触装置とからなることを特徴とする機能水の製造装置。
（３）複合体が、粒状物であることを特徴とする前記（１）項又は（２）項に記載の機能水製造装置。
（４）複合体が、透水性多孔質成型物であることを特徴とする（１）項〜（３）項のいずれか１項に記載の機能水製造装置。
【０００５】
（５）ｎ形半導体膜とｐ形半導体膜とを積層した複合体に、原料水を接触せしめることを特徴とする機能水製造法。
（６）強誘電体の表面にｎ形半導体膜及びｐ形半導体膜を順次積層コーティングしてなる複合体に、原料水を接触せしめることを特徴とする機能水製造法。
（７）原料水の流路に、ｎ形半導体膜とｐ形半導体膜とを積層した複合体を充填した充填層を介在させ、原料水を前記充填層に流通・接触せしめることを特徴とする機能水の製造法。
（８）原料水の流路に、強誘電体の表面にｎ形半導体膜及びｐ形半導体膜を順次積層コーティングしてなる複合体の粒状物を多数充填した充填層を介在させ、原料水を前記充填層に流通・接触せしめることを特徴とする機能水の製造法。
（９）ｎ形半導体膜とｐ形半導体膜とを積層した複合体の透水性多孔質成型物に、原料水を接触せしめることを特徴とする機能水の製造法。
（１０）強誘電体の表面にｎ形半導体膜及びｐ形半導体膜を順次積層コーティングしてなる複合体の透水性多孔質成型物に、原料水を接触せしめることを特徴とする機能水の製造法。
【０００６】
（１１）原料水の流路に、ｎ形半導体膜及びｐ形半導体膜を順次積層コーティングしてなる複合体の透水性多孔質物層を介在させ、原料水を前記透水性多孔質物層に流通・接触せしめることを特徴とする機能水製造法。
（１２）原料水の流路に、ｎ形半導体膜とｐ形半導体膜とを積層した複合体の透水性多孔質物層を介在させ、原料水を前記透水性多孔質物層に流通・接触せしめることを特徴とする機能水製造法。
【発明の効果】
【０００７】
本発明によれば、人体の疾患治療に有効な機能水を容易に製造でき、また大量の機能水を容易に製造ができる。また、本発明の機能水は、各測定コードに高い波動値を有し、その飲用結果、生体は健康を取り戻すことができる。
【発明を実施するための最良の形態】
【０００８】
本発明者は前に、特開平８−１０３３９号公報「強誘電体と半導体からなる複合治療器」において、人体の患部皮膜面に押し当てることにより、痛みその他の疾患を治癒させるための治療剤、治療器を提供した。
本発明者はその後研究を続けた結果、前記提案の人間の疾患治療のため皮膚表面に接触させて用いる［強誘電体の表面にｎ形半導体膜及びｐ形半導体膜を順次積層コーティングしてなる複合体］を、水に接触させることにより人体に有効な機能水が取得できることを知見した。
さらに、ｎ形半導体膜とｐ形半導体膜とを積層した複合体に水を接触させても人体に有効な機能水が取得できることを知見した。
本発明はこうした知見に基づいてなされたものであり、基本的には〔１〕．ｎ形半導体膜とｐ形半導体膜とを積層した複合体又は〔２〕．前記強誘電体の表面にｎ形半導体膜及びｐ形半導体膜を順次積層コーティングしてなる複合体を、水に接触させて得られる機能水及びその機能水の製造装置並びに製造方法であって、得られる機能水は、各種疾患を、人体に有効な人体組成臓器等の働きを活性化させ治療する機能を有するものである。
【０００９】
近時、従来の方法で測定可能な横波の磁気（質量波）の他に、縦波の微弱磁気（粗密波、圧縮波）があることが判明しており、微弱エネルギー測定装置によりこの縦波の微弱磁気を測定することが可能となった。（例えば、特許第２６４７７８６号公報「コンピュータ化磁気共鳴分析器」が開示されている）。
前記縦波の微弱磁気は、電子運動の支持媒体である素粒子群が、電子と共鳴したとき発生するものと考えられており「波動」と呼ばれる。そこで、各種類の生体又は物質の持つ固有の微弱磁気≒「波動」毎に、対応する標準波形を定める指示記号「コード」を設定し、上記コードに基づいて計測したい種類を選択し、測定対象の複合物質から出される合成波形の中から前記コードの標準波形に共鳴する波形を取り出して、例えばフーリエ解析法等を用いて分析し、被測定波形が前記標準波形と比較して、波形に乱れがあるかないかを判読し、その度合いを数値化して判定することが記載されている。
また、前記微弱標準磁気は、ミネラル及び微量金属と酸素を含む「水」により記憶（保有）されるものとみなされており、そして、前記縦波の微弱磁気の作用を受け微弱に磁化された「微弱磁化水」は、〔１〕、表面張力が増加する。〔２〕、最大溶存酸素量も増加する。〔３〕、Ｈ＋ が増加する。〔４〕、固体表面への付着力を低下させる。〔５〕、沸点、粘性が変わる。〔６〕、磁化率が変わる。〔７〕、水化熱が変わる。〔８〕、弱アルカリ性となる。等の性質を示し、さらに、この「微弱磁化水」は、生体内に取り込まれると細胞の隅々にまで行き渡り、生体内の乱れた微弱磁気を矯正する作用を発揮し、その結果、生体は健康を取り戻すことが記載されている。
以上は（例えば、１９９６年発行、サトルエネルギー学会誌Ｖｏｌ．１．中村国衛著「微弱エネルギー測定装置の原理と機能」第１６頁）、（１９９７年発行、サトルエネルギー学会誌Ｖｏ２．２．中村国衛著「実験動物の病態解析における微弱磁気エネルギー測定の意義」第５１頁）等に開示されている。
本発明の「機能水」の諸作用は、前記「微弱磁化水」に略相当するもので優れた効果を発揮する。前記微弱エネルギー測定装置により測定した本発明の「機能水」の「波動」データについては後述する。
【００１０】
前記ｎ形半導体膜とｐ形半導体膜の積層複合体の製造方法では、スパッタリング、ＣＶＤ、ＭＯＣＶＤ、塗布などの方法が採用できる。
例えば、ｎ形半導体フィルムの上にｐ形半導体膜を蒸着等により積層して製造することができる。
また、前記ｎ形半導体膜及びｐ形半導体膜の積層コーティングは、スパッタリング、ＣＶＤ、ＭＯＣＶＤ、塗布などいずれの方法でもよいが、まず強誘電体基材の表面にｎ形半導体膜をコーティングしてから、その上にｐ形半導体膜を積層してコーティングを行う。これは強誘電体に誘起された電気のうち、マイナスの電気を通さないようにするためである。
なお、前記各半導体膜の厚さは、強誘電体に誘起される電位の変化に追随するため通常１ｎｍ〜５００ｎｍの薄膜が好適に採用される。
そして、強誘電体が酸化チタンのようにｎ形の場合は、ｎ形半導体膜を省略し、強誘電体に直接ｐ形半導体膜を形成させても同じ効果が得られる。
【実施例１】
【００１１】
以下、本発明の実施例を各種装置の構造別、各種形態別に図に示して説明する。
図１は、本発明に係る強誘電体と半導体よりなる粒状複合体並びにｎ形半導体膜とｐ形半導体膜の積層複合体の縦断面図で、（イ）図は強誘電体と半導体よりなる円錐状の粒状複合体、（ロ）図は強誘電体と半導体よりなる半球状の粒状複合体、（ハ）図はｎ形半導体膜とｐ形半導体膜の積層複合体を示す。
図において１は強誘電体、２はｎ形半導体膜、３はｐ形半導体膜、４は円錐状の粒状複合体、５は半球状の粒状複合体、１００は薄板状のｎ形半導体膜とｐ形半導体膜の積層複合体である。
図２は、他例の粒状複合体の縦断面図で、
（イ）図は球状体の縦断面図で、６は球状体を示す。強誘電体１の外周をｎ形半導体膜２及びｐ形半導体膜３で積層している。
（ロ）図は球状体の縦断面図で、７は球状体を示す。強誘電体１（酸化チタン：ｎ形）の外周をｐ形半導体膜３で積層している。
（ハ）図は角形板状の縦断面図で、８は角形板状体を示す。
図３は、円筒型複合体の集合体の縦断面斜視図を示す。
図において、９は円筒型の集合を示す。円筒状の外周から強誘電体１、その内周をｎ形半導体膜２及びｐ形半導体膜３で積層している。図示したように円筒を外周部で線接触的に接合させており、原料水は中空部を流通する。
図４は、ハニカム型複合体の集合体の縦断面斜視図を示す。
図において、１０はハニカム型の集合を示す。６角筒の外周から強誘電体１（酸化チタン：ｎ形）と、その内周をｐ形半導体膜３で積層している。図示したよう６角筒を隣接させており、原料水は６角筒の中空部を流通する。
図５は、透水性多孔質複合体の縦断面斜視図を示す。図において、１１は貫通孔を有する板型を示す。図示したように板状複合体の上面に多数の貫通孔１２が設けられ、原料水が自在に透過する。そして、前記の強誘電体１、ｎ形半導体膜２、ｐ形半導体膜３が積層されている。
なお、強誘電体１（酸化チタン：ｎ形）に、直接ｐ形半導体膜３を積層してもよい（図示せず）。
【００１２】
上記中、強誘電体を含む材料としては、織布、不織布、紙、プラスチック、セラミックス、又はセラミックスに強誘電体粉末を混紡、混合、塗布、又は付着したもの等が使用される。
強誘電体としては、酸化チタン、チタン酸バリウム、チタン酸ストロンチウム、チタン酸鉛、ニオブ酸リチウム、ＰＺＴ、又はロッシェル塩等が使用される。
半導体膜としては、シリコン、ゲルマニウム、ガリウム燐、インジウム燐、セレン化亜鉛、硫化亜鉛、又は有機半導体の薄膜等が使用される。
また、ドーピング材としては、ｎ形は窒素、燐、アンチモン等、ｐ形は硼素、アルミニュム、ガリウム等が使用される。
なお、ＣＶＤ法の場合には半導体材料として、シラン、ゲルマンが使用され、ドービング剤としてはアンモニア、ホスフィン等、ｐ形はジボラン等が２００ｐｐｍ前後添加される。
また原料水は、水道水、地下水、ミネラルウォータ、一般浄水器の水等が使用される。
【００１３】
図６は、水槽中の原料水に粒状複合体を接触させた断面図である。
図において１３は粒状複合体収納水槽、１７は機能水、１８は粒状複合体収納網、１９は水槽筺体、２０は複合体収納網蓋、２１は原料水の注入方向矢印、２２は吐出機能水、２３は吐出口、３０は開閉器を示す。
前記機能水は、複合体収納網蓋２０をとって、各種粒状複合体（４・５・６・７・８・９・１００）のいずれかを、複合体収納網１８の中に収納し、原料水の注入方向矢印２１のように原料水を水槽を満たす迄注入した後、所要時間、例えば粒状複合体４を原料水に接触させて製造する。
使用時には、開閉器３０によって適量を取り出す。
図７は、粒状複合体を多数充填した充填層に原料水を流通・接触させた断面図である。
図において、１４は粒状複合体収納流通水槽、２４は水槽内の流水方向矢印、２５は水槽筺体、２６、２７は貫通網、２８は注水管、２９は筺体上蓋を示す。
前記機能水は、筺体上蓋２９と貫通網２７をとって粒状複合体例えば４を多数充填して充填層を作り、注水管２８の上方から水の注入方向矢印２１のように原料水を注入する。注入された原料水は、注水管２８の下部の貫通網２６から周辺の前記充填層を通って水槽内の流水方向矢印２４の方向に流れ、上部の貫通網２７から吐出口２３を経由して吐出機能水２２のように吐出させており、原料水注入の開閉によって充填層に原料水を流通・接触させて製造する。
【００１４】
図８は、複合体の透水性多孔質物に原料水を接触させた断面図である。
図において１５は透水性多孔質物複合体収納水槽を示す。
前記機能水は、複合体収納網蓋２０をとって、透水性多孔質物複合体例えば１１を、複合体収納網１８の中に収納し、水の注入方向矢印２１のように原料水を水槽を満たす迄注入した後、所要時間、原料水に接触させて製造する。使用時には、開閉器３０によって適量を取り出す。
図９は、透水性複合体を多数充填した充填層に原料水を流通・接触させた断面図である。
図において、１６は複合体の透水性多孔質物複合体収納流通水槽、２４は水槽内の流水方向矢印、２５は水槽筺体、２６、２７は貫通網、２８は注水管、２９は筺体上蓋を示す。
前記機能水は、筺体上蓋２９と貫通網２７をとって例えば透水性多孔質物複合体１１を多数充填して、充填層を作り、注水管２８の上方から水の注入方向矢印２１のように原料水を注入する。注入された原料水は、注水管２８の下部の貫通網２６から周辺の前記充填層を通って水槽内の流水方向矢印２４の方向に流れ、上部の貫通網２７から吐出口２３を経由して吐出機能水２２のように吐出させており、水注入の開閉によって充填層に原料水を流通・接触させて製造する。
【００１５】
次に、一般浄水器と本発明の機能水製造装置とを一体構造にした事例を示す。
図１０は、前記図６（水槽中の原料水に前記粒状複合体を接触させた断面図）に紫外線灯を設置した断面図である。
図において、３１は紫外線灯、３２は紫外線灯のリード線を示す。水槽筺体１９に貯留された機能水１７の中には、耐水性の紫外線灯３１が複数本設置されており、その作用によって周囲の機能水１７は殺菌されるため、長時間の貯留も可能となる。
図１１は、前記図７（粒状複合体を多数充填した充填層に原料水を流通・接触させた断面図）に紫外線灯を設置した断面図である。
図において、３３は流水空隙を示す。水槽筺体２５の中の粒状複合体（４）を、水槽内の流水方向矢印２４のように通過し、吐出口２３に向かう機能水は、水槽筺体２５の上部の流水空隙３３に設けられた複数の紫外線灯３１の周囲を通過する際に、殺菌されて吐出機能水２２となる。
【００１６】
上記と同様にして、図８（複合体の透水性多孔質物に水を接触させた断面図）に紫外線灯３１を設置してもよく（図示せず）、また図９（透水性複合体を多数充填した充填層に水を流通・接触させた断面図）に紫外線灯３１を設置してもよい（図示せず）
【００１７】
次に、前記図６に示した水槽中の原料水に粒状複合体を接触させて製造した機能水の測定データについて述べる。
実施例１：
前記粒状複合体は、酸化チタン（ｎ形）の直径５．５ｍｍ円錐台状焼結体の表面に硼素２００ｐｐｍ、ドープシリコン（ｐ形）をスパッタリング処理した物１００粒に、水道水１０００ｍｌを加え、時々撹拌し常温で１時間以上放置したものである。
次表にその測定データを示す。なお、測定の数値は０±２１とし、＋２１を波動の最高値とし、−２１を最低値とする。
また、疾患に対する指定コードは、主な疾患に対するコードを選択した。
各種疾患に対する機能水の波動測定値
指定コード         波 動 値           指定コード         波 動 値
免疫               ＋２１             呼吸中枢           ＋２１
胸腺               ＋１８             血管運動中枢       ＋２１
自律神経系         ＋２１             温度調節中枢       ＋２０
ストレス           ＋２０             痛み               ＋２１
血液循環           ＋２１             炎症性リウマチ     ＋２１
リンパ節           ＋１９             変形性関節症       ＋２０
癌                 ＋２１             糖尿病・ＤＭ       ＋２１
パーキソン病       ＋２１             糖尿病             ＋１５
ドパミン           ＋２１             高血圧             ＋２０
インポテンツ       ＋２１             肝臓               ＋１９
性欲促進           ＋１９             腎臓               ＋１８
精巣               ＋１９             心臓               ＋２０
性中枢             ＋２０             大腸               ＋２１
【００１８】
なお、比較のために、水道水を市販の浄水器により濾過した原料水の波動値を下記に示す。
原料水の波動測定値
指定コード      波 動 値           指定コード       波 動 値
免疫               ＋５               リンパ節        ＋２
癌                 ＋３               血液循環        ＋３
自律神経系         ＋５               パーキソン病    ＋２
ストレス           ＋４               以下略
上記に示したように機能水は全測定コードについて優れた測定値を示している。
【００１９】
実施例２：
外径１２ｍｍ、内径８ｍｍ、長さ８ｍｍの円筒型ジルコニア焼結体を、約１０００゜Ｃに加熱しつつ、ホスフィン２００ｐｐｍ、含有シランガスを１０−２ｍｍＨｇの減圧下で分解し、ＣＶＤ法によりジルコニア焼結体表面に、約１００ｎｍの被覆をつけた。その後ジボラン２００ｐｐｍ含有シランガスに切り替えて、同じくＣＶＤ法により１００ｎｍ程度の皮膜をつけた。
この処置により円筒形ジルコニア焼結体の表面にｎ形シリコン膜とｐ形シリコン膜の複合体が付いたことになる。
該複合体付きジルコニア焼結体２５個を５００ｍｌ容器に入れ、水道水（浄化装置付）５００ｍｌを加え、時々撹拌しながら２時間放置した。
この時の機能水と原料の水道水（浄化装置付）の波動値を次に示す。
指定コード         機能水の波動値           原料水（浄化装置付水道水）
免疫                 ＋２１                    ＋３
血液循環             ＋２０                    ＋２
痛み                 ＋２０                    ＋０
炎症性リュウマチ     ＋１９
高血圧               ＋１９                    ＋１
肝臓                 ＋２０                    ＋１
腎臓                 ＋１８
大腸                 ＋２０                    ＋２
肺                   ＋１９  
【００２０】
実施例３：
直径２５ｍｍ、厚さ１．５ｍｍの円板状に焼結したチタン酸バリウムの表面にアンチモン１５０ｐｐｍ、ドープゲルマニウムをスパッタリング法で約５０ｎｍ蒸着し、さらにターゲットを硼素２００ｐｐｍドープゲルマニウム板に置き換えて、同じくスパッタリング法で約１００ｎｍ蒸着した。
この場合、両面共それぞれ蒸着したのでチタン酸バリウム焼結体の全面が、ｎ形ゲルマニウム、ｐ形ゲルマニウムの複合膜で覆われたことになる。
この円板を１０枚、５００ｍｌの容器に入れ、水道水（浄化装置付）５００ｍｌを加え時々撹拌しながら２時間放置した。この時の機能水と原料の水道水（浄化装置付）の波動値を次に示す。
指定コード           機能水の波動値    原料水（浄化装置付水道水）
免疫                     ＋２１           ＋４
血液循環                 ＋２１           ＋２
痛み                     ＋２０           ＋１
炎症性リュウマチ         ＋１８
高血圧                   ＋１９           ＋０
肝臓                     ＋１８           ＋１
腎臓                     ＋１７           ＋０
大腸                     ＋１９           ＋１
肺                       ＋１９           ＋１
上記、実施例２及び３においても機能水の波動値は全測定コードについて優れた測定値を示している。
以上の波動値の測定には、磁気共鳴分析器「ＢＩＣＳ」（バイオインフォ−メイション・チェックシステム）：（株）アクティ・ツ−ワン社製、を用いた。
【００２１】
一方、生体内の各所における「波動値」を測定すると、病変がある箇所には前記共鳴磁場に「乱れ」がみられ、−値を示している（図示せず）。
したがって、細胞間の情報の媒介になっている水の波動の乱れを、本発明の高い波動値の機能水を飲用することによって矯正し、その結果、生体は健康を取り戻す作用が得られる。
【００２２】
本機能水は、前記の測定値データに示されているように、生体の各症状に有効である。以下に事例の幾つかを列記する。
事例１：
肝臓疾患（ＧＯＴ２ＯＯ、ＧＰＴ１９０）の患者が、前述した機能水を、１日４００ｍｌ〜６００ｍｌ飲用した結果、約１ケ月間で、（ＧＯＴ６０、ＧＰＴ８０）に下がった。
事例２：
慢性腎臓疾患の患者が、前述した機能水を、１日４００ｍｌ〜６００ｍｌ飲用した結果、約３ケ月間で血圧も安定して、降圧剤を１／２に減らすことができ、クレアチニンも１．４から１．０に減少し、人工透析の回数を従来の２／３まで減らすことができた。
なお、本機能水は、人体に有効であるほか、動物、植物、微生物等にもに有効であり、食品、栽培への応用等その活用範囲は大きい。
【図面の簡単な説明】
【００２３】
【図１】粒状複合体並びに薄板状複合体の縦断面図。
【図２】粒状複合体の縦断面図。
【図３】円筒型複合体の集合体の縦断面斜視図。
【図４】ハニカム型複合体の集合体の縦断面斜視図。
【図５】透水性多孔質複合体の縦断面斜視図。
【図６】水槽中の原料水に前記粒状複合体を接触させた断面図。
【図７】粒状複合体を多数充填した充填層に原料水を流通・接触させた断面図。
【図８】複合体の透水性多孔質物に原料水を接触させた断面図。
【図９】透水性複合体を多数充填した充填層に原料水を流通・接触させた断面図。
【図１０】図６に紫外線灯を設置した断面図。
【図１１】図７に紫外線灯を設置した断面図。
【符号の説明】
【００２４】
１：強誘電体 ２：ｎ形半導体膜
３：ｐ形半導体膜 ４：円錐状の粒状複合体
５：半球状の粒状複合体 ６：球状体−１
７：球状体−２ ８：角形板状
９：円筒型の集合 １０：ハニカム型の集合
１１：貫通孔を有する板型 １２：多数の貫通孔
１３：粒状複合体収納水槽 １４：粒状複合体収納流通水槽
１５：透水性多孔質物複合体収納水槽
１６：透水性多孔質物複合体収納流通水槽
１７：機能水 １８：粒状複合体収納網
１９：水槽筺体 ２０：複合体収納網蓋
２１：原料水の注入方向矢印 ２２：吐出機能水
２３：吐出口 ２４：水槽内の流水方向矢印
２５：水槽筺体 ２６、２７：貫通網
２８：注水管 ２９：筺体上蓋
３０：開閉器 ３１：紫外線灯
３２：紫外線灯のリード線 ３３：流水空隙
１００：薄板状のｎ形半導体膜とｐ形半導体膜の積層複合体
【図１】
2006224101.tif 000003
【図２】
2006224101.tif 000004
【図３】
2006224101.tif 000005
【図４】
2006224101.tif 000006
【図５】
2006224101.tif 000007
【図６】
2006224101.tif 000008
【図７】
2006224101.tif 000009
【図８】
2006224101.tif 000010
【図９】
2006224101.tif 000011
【図１０】
2006224101.tif 000012
【図１１】
2006224101.tif 000013